【手続補正書】
【提出日】平成26年10月15日(2014.10.15)
【手続補正１】
【補正対象書類名】特許請求の範囲
【補正対象項目名】全文
【補正方法】変更
【補正の内容】
【特許請求の範囲】
【請求項１】
液量を測定するための方法であって、
１つ以上の入射電磁波（１３２）を伝導性筐体（１１０）内へ送信することと、
前記入射電磁波（１３２）に対応する跳ね返り電磁波（１４２）を受信することと、
前記跳ね返り電磁波（１４２）に対応する伝達関数を測定することと、
測定された前記伝達関数に基づいて液量を計算することと、
を含む方法。
【請求項２】
１つ以上の入射電磁波（１３２）を伝導性筐体（１１０）内へ送信することは、１つ以上の入射電磁波（１３２）を前記伝導性筐体（１１０）内に蓄えられる液体の表面へ送信することを含む請求項１の方法。
【請求項３】
前記入射電磁波（１３２）は、前記筐体（１１０）内に蓄えられる液体の表面上に浮かぶ反射浮き（２３０）へ向けて送信される請求項１または２に記載の方法。
【請求項４】
跳ね返り電磁波（１４２）を受信することは、前記入射電磁波（１３２）の反射である反射電磁波を受信することを含む請求項１から３のいずれか一項に記載の方法。
【請求項５】
測定された前記伝達関数に基づいて液量を計算することは、
前記入射電磁波のうちの特定の入射電磁波（１３２）の送信と対応する前記跳ね返り電磁波（１４２）の受信との間の時間遅延を決定することと、
前記時間遅延と、前記特定の入射電磁波（１３２）と同じ特性を有する入射電磁波（１３２）に対応する一組の既知の時間遅延とを比較することと、
前記時間遅延が前記一組の既知の時間遅延のうちの１つと一致するかどうかを決定することと、
前記時間遅延が前記一組の既知の時間遅延のうちの１つの時間遅延に一致すると決定すると、一致した時間遅延に対応する液量を決定することと
を含む、請求項１から４のいずれか一項に記載の方法。
【請求項６】
前記入射電磁波（１３２）が多くの別個の周波数で特定の帯域幅にわたって送信され、
前記跳ね返り電磁波（１４２）に対応する伝達関数を測定することは、前記跳ね返り電磁波（１４２）のコヒーレント総和を表わす受信電力プロファイルを作成することを含む、請求項１から５のいずれか一項に記載の方法。
【請求項７】
計算された液量に対応する液量データを備える第１の無線周波数（ＲＦ）信号を、前記伝導性筐体（１１０）の外側の液量測定コントローラ（４５０）へと前記液量データを中継するように構成される無線ハブ（３２０Ａ）へ送信することと、
前記液量データを前記液量測定コントローラ（４５０）へ中継することと、
を更に含む請求項１から６のいずれか一項に記載の方法。
【請求項８】
前記液量データを前記液量測定コントローラ（４５０）へ中継することは、
前記液量データを含む液量信号を生成することと、
前記液量信号を前記伝導性筐体（１１０）の内面に取り付けられた内側誘導コイル（３１４Ａ）へ送ることと、
前記液量信号を前記内側誘導コイル（３１４Ａ）に誘導結合される外側誘導コイル（３１２Ａ）へ送信することと、
前記液量信号を前記外側誘導コイル（３１２Ａ）で受信することと、
前記液量信号を前記液量測定コントローラ（４５０）へ送ることと、
を含む請求項１から７のいずれか一項に記載の方法。
【請求項９】
伝導性筐体（１１０）内に蓄えられる液体の液量を計算するように構成される問い合わせアセンブリ（１２０、２２０）と、
電力信号およびデータ信号を前記問い合わせアセンブリ（１２０、２２０）へ無線で供給するように構成される誘導電力・データアセンブリ（１６０、３２０）であって、電磁波を伝導できる伝導性筐体（１１０）により分離される内側誘導コイル（３１４Ａ）および外側誘導コイル（３１２Ａ）を含む一対の誘導結合された誘導コイルを備え、前記内側誘導コイル（３１４Ａ）が前記伝導性筐体（１１０）の内面に取り付けられ、前記外側誘導コイル（３１２Ａ）が前記伝導性筐体（１１０）の外面に取り付けられる、誘導電力・データアセンブリ（１６０、３２０）と、
を備える、液量を測定するためのシステム。
【請求項１０】
前記問い合わせアセンブリ（１２０、２２０）は、
液体を蓄えるように構成される前記伝導性筐体（１１０）内へ１つ以上の入射電磁波（１３２）を送信するように構成される送信器と、
前記入射電磁波（１３２）に対応する跳ね返り電磁波（１４２）を受信するように構成される受信器と、
前記跳ね返り電磁波（１４２）に対応する伝達関数を測定するように構成される伝達関数モジュールと、
測定された前記伝達関数に基づいて液量を計算するように構成される液量計算モジュール（１２６）と、
を備える請求項９のシステム。
【請求項１１】
前記液量計算モジュール（１２６）は、
前記入射電磁波（１３２）のうちの特定の入射電磁波（１３２）の送信と対応する前記跳ね返り電磁波（１４２）の受信との間の時間遅延を決定し、
決定された前記時間遅延と、前記特定の入射電磁波と同じ特性を有する入射電磁波（１３２）に対応する一組の既知の時間遅延とを比較し、
決定された前記時間遅延が前記一組の既知の時間遅延のうちの１つと一致するかどうかを決定し、
決定された前記時間遅延が前記一組の既知の時間遅延のうちの１つの時間遅延に一致すると決定すると、一致した時間遅延に対応する液量を決定する
ように更に構成される請求項１０のシステム。
【請求項１２】
前記誘導電力・データアセンブリ（１６０、３２０）は、前記問い合わせアセンブリ（１２０、２２０）と無線で通信するように構成される無線ハブ（３２０Ａ）を更に備え、
前記問い合わせアセンブリ（１２０、２２０）が無線ハブと通信するための無線アンテナ（１２８、２２８）を更に備え、前記問い合わせアセンブリ（１２０、２２０）は、計算された液量に対応するデータを前記無線アンテナ（１２８、２２８）を介して前記無線ハブ（３２０Ａ）へ送るように構成される、請求項１０または１１に記載のシステム。
【請求項１３】
前記伝導性筐体（１１０）内に位置付けられるスロット付き導波管（２５０）を更に備え、
前記送信器は、前記入射電磁波（１３２）を前記スロット付き導波管（２５０）内の液体へ向けて送信するように構成される、請求項１０から１２のいずれか一項に記載のシステム。
【手続補正２】
【補正対象書類名】明細書
【補正対象項目名】００５６
【補正方法】変更
【補正の内容】
【００５６】
前述した主題は、単なる例示として与えられており、限定的に解釈されるべきではない。図示して説明した実施形態および用途に従うことなく、また、以下の特許請求の範囲に記載される本発明の思想および範囲から逸脱することなく、本明細書中に記載される手段に対して様々な改変および変更を行ってもよい。
また、本願は以下に記載する態様を含む。
（態様１）
液量を測定するための方法であって、
１つ以上の入射電磁波を伝導性筐体内へ送信することと、
前記入射電磁波に対応する跳ね返り電磁波を受信することと、
前記跳ね返り電磁波に対応する伝達関数を測定することと、
測定された前記伝達関数に基づいて液量を計算することと、
を含む方法。
（態様２）
１つ以上の入射電磁波を伝導性筐体内へ送信することは、１つ以上の入射電磁波を前記伝導性筐体内に蓄えられる液体の表面へ送信することを含む態様１の方法。
（態様３）
前記入射電磁波は、前記筐体内に蓄えられる液体の表面上に浮かぶ反射浮きへ向けて送信される態様１の方法。
（態様４）
跳ね返り電磁波を受信することは、前記入射電磁波の反射である反射電磁波を受信することを含む態様１の方法。
（態様５）
測定された前記伝達関数に基づいて液量を計算することは、
前記入射電磁波のうちの特定の入射電磁波の送信と対応する前記跳ね返り電磁波の受信との間の時間遅延を決定することと、
前記時間遅延と、前記特定の入射電磁波と同じ特性を有する入射電磁波に対応する一組の既知の時間遅延とを比較することと、
前記時間遅延が前記一組の既知の時間遅延のうちの１つと一致するかどうかを決定することと、
前記時間遅延が前記一組の既知の時間遅延のうちの１つの時間遅延に一致すると決定すると、一致した時間遅延に対応する液量を決定することと
を含む、態様１の方法。
（態様６）
前記入射電磁波が多くの別個の周波数で特定の帯域幅にわたって送信され、
前記跳ね返り電磁波に対応する伝達関数を測定することは、前記跳ね返り電磁波のコヒーレント総和を表わす受信電力プロファイルを作成することを含む、態様１の方法。
（態様７）
計算された液量に対応する液量データを備える第１の無線周波数（ＲＦ）信号を、前記伝導性筐体の外側の液量測定コントローラへと前記液量データを中継するように構成される無線ハブへ送信することと、
前記液量データを前記液量測定コントローラへ中継することと、
を更に含む態様１の方法。
（態様８）
前記液量データを前記液量測定コントローラへ中継することは、
前記液量データを含む液量信号を生成することと、
前記液量信号を前記伝導性筐体の内面に取り付けられた内側誘導コイルへ送ることと、
前記液量信号を前記内側誘導コイルに誘導結合される外側誘導コイルへ送信することと、
前記液量信号を前記外側誘導コイルで受信することと、
前記液量信号を前記液量測定コントローラへ送ることと、
を含む態様１の方法。
（態様９）
伝導性筐体内に蓄えられる液体の液量を計算するように構成される問い合わせアセンブリと、
電力信号およびデータ信号を前記問い合わせアセンブリへ無線で供給するように構成される誘導電力・データアセンブリであって、電磁波を伝導できる伝導性筐体により分離される内側誘導コイルおよび外側誘導コイルを含む一対の誘導結合された誘導コイルを備え、前記内側誘導コイルが前記伝導性筐体の内面に取り付けられ、前記外側誘導コイルが前記伝導性筐体の外面に取り付けられる、誘導電力・データアセンブリと、
を備える、液量を測定するためのシステム。
（態様１０）
前記問い合わせアセンブリは、
液体を蓄えるように構成される伝導性筐体内へ１つ以上の入射電磁波を送信するように構成される送信器と、
前記入射電磁波に対応する跳ね返り電磁波を受信するように構成される受信器と、
前記跳ね返り電磁波に対応する伝達関数を測定するように構成される伝達関数モジュールと、
測定された前記伝達関数に基づいて液量を計算するように構成される液量計算モジュールと、
を備える態様１６のシステム。
（態様１１）
前記液量計算モジュールは、
前記入射電磁波のうちの特定の入射電磁波の送信と対応する前記跳ね返り電磁波の受信との間の時間遅延を決定し、
決定された前記時間遅延と、前記特定の入射電磁波と同じ特性を有する入射電磁波に対応する一組の既知の時間遅延とを比較し、
決定された前記時間遅延が前記一組の既知の時間遅延のうちの１つと一致するかどうかを決定し、
決定された前記時間遅延が前記一組の既知の時間遅延のうちの１つの時間遅延に一致すると決定すると、一致した時間遅延に対応する液量を決定する
ように更に構成される態様１７のシステム。
（態様１２）
前記誘導電力・データアセンブリは、前記問い合わせアセンブリと無線で通信するように構成される無線ハブを更に備え、
前記問い合わせアセンブリが無線ハブと通信するための無線アンテナを更に備え、前記問い合わせアセンブリは、計算された液量に対応するデータを前記無線アンテナを介して前記無線ハブへ送るように構成される、態様１６のシステム。
（態様１３）
前記伝導性筐体内に位置付けられるスロット付き導波管を更に備え、
前記送信器は、前記入射電磁波を前記スロット付き導波管内の液体へ向けて送信するように構成される、態様１６のシステム。